【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ビデオデータを符号化するためのデバイスであって、
前記ビデオデータを記憶するように構成されたメモリと、
前記メモリと通信しているビデオ符号化デバイスと、
を備え、前記ビデオ符号化デバイスは、
マルチレイヤビデオデータを処理することと、前記マルチレイヤビデオデータは複数のレイヤを含み、各レイヤは、少なくとも１つのビデオコーディングレイヤ（ＶＣＬ）ネットワークアブストラクションレイヤ（ＮＡＬ）ユニットと任意の関連する非ＶＣＬ  ＮＡＬユニットとを含む少なくとも１つのピクチャユニットを備え、
前記マルチレイヤビデオデータに関連付けられる出力ファイルを生成することと、前記出力ファイルは、フォーマットを使用して生成しており、
ここにおいて、前記出力ファイルは複数のトラックを含み、前記ビデオ符号化デバイスは、前記複数のトラックの各トラックが前記マルチレイヤビデオデータのたった１つのレイヤを備え、および前記複数のトラックの各トラックがアグリゲータまたはエクストラクタの少なくとも一方を含まないように前記出力ファイルを生成するようにさらに構成され、
前記アグリゲータは、ＮＡＬユニットの不規則なパターンを、集約されたデータユニットの規則的なパターンへと変更することによって、ＮＡＬユニットのスケーラブルグループ化を可能にする構造を含み、前記エクストラクタは、メディアデータを含むトラック以外のトラックからのＮＡＬユニットの抽出を可能にする構造を含み、前記出力ファイルは、オペレーションポイントに含まれる１つまたは複数のレイヤを識別するトラックレイヤ識別子をさらに備える、
を行うように構成される、デバイス。
【請求項２】
前記ビデオ符号化デバイスは、
サンプルエントリーの名前を前記出力ファイルに関連付けるようにさらに構成され、前記サンプルエントリーの名前は、前記出力ファイルの前記複数のトラックの各トラックが２つ以上のレイヤを含まないことを示し、前記複数のトラックの各トラックがアグリゲータまたはエクストラクタの少なくとも一方を含まないことを示す、請求項１に記載のデバイス。
【請求項３】
前記ビデオ符号化デバイスは、
ファイルタイプを前記出力ファイルに関連付けるようにさらに構成され、前記ファイルタイプは、前記出力ファイルの前記複数のトラックの各トラックが２つ以上のレイヤを含まないことを示し、前記複数のトラックの各トラックがアグリゲータまたはエクストラクタを含まないことを示し、前記ファイルタイプは、前記出力ファイルに含まれる、請求項１に記載のデバイス。
【請求項４】
前記ビデオ符号化デバイスは、前記出力ファイルのためのトラックコンテンツ情報（ｔｃｏｎ）ボックスを生成しないようにさらに構成される、請求項１に記載のデバイス。
【請求項５】
前記ビデオ符号化デバイスは、前記１つまたは複数のトラックの各々のためのレイヤ識別子を生成するようにさらに構成され、レイヤ識別子は、トラックに含まれるレイヤを識別する、請求項１に記載のデバイス。
【請求項６】
前記ビデオ符号化デバイスは、オペレーティングポイント情報（ｏｉｎｆ）ボックスを生成するようにさらに構成され、前記ｏｉｎｆボックスは、前記マルチレイヤビデオデータに含まれる１つまたは複数のオペレーティングポイントのリストを含み、オペレーティングポイントは、１つまたは複数のレイヤに関連付けられ、前記ｏｉｎｆボックスは、前記１つまたは複数のトラックのうちのどれが、前記１つまたは複数のオペレーティングポイントの各々に関連付けられるレイヤを含むかを示す、請求項１に記載のデバイス。
【請求項７】
前記マルチレイヤビデオデータはレイヤのサブセットをさらに含み、レイヤの前記サブセットは１つまたは複数の時間サブレイヤを含み、
前記１つまたは複数のトラックからの各トラックは前記マルチレイヤビデオデータからのレイヤの２つ以上のサブセットを含まない、請求項１に記載のデバイス。
【請求項８】
前記マルチレイヤビデオデータは、階層化高効率ビデオコーディング（Ｌ−ＨＥＶＣ）ビデオデータである、請求項１に記載のデバイス。
【請求項９】
前記出力ファイルの前記フォーマットは、国際標準化機構（ＩＳＯ）ベースメディアファイルフォーマットを含む、請求項１に記載のデバイス。
【請求項１０】
ビデオデータを復号するためのデバイスであって、
前記ビデオデータを記憶するように構成されたメモリと、
前記メモリと通信しているビデオ復号デバイスと、
を備え、前記ビデオ復号デバイスは、
マルチレイヤビデオデータに関連付けられる出力ファイルのサンプルエントリーの名前を処理することと、前記マルチレイヤビデオデータは複数のレイヤを含み、各レイヤは、少なくとも１つのビデオコーディングレイヤ（ＶＣＬ）ネットワークアブストラクションレイヤ（ＮＡＬ）ユニットと任意の関連する非ＶＣＬ  ＮＡＬユニットとを含む少なくとも１つのピクチャユニットを備え、前記出力ファイルは複数のトラックを備え、
前記出力ファイルのサンプルエントリーの名前に基づいて、前記出力ファイルの前記複数のトラックの各トラックが前記複数のレイヤのうちのたった１つのレイヤを備えること、および、前記複数のトラックの各々がアグリゲータおよびエクストラクタを含まないこと、を決定することと、前記アグリゲータは、ＮＡＬユニットの不規則なパターンを、集約されたデータユニットの規則的なパターンへと変更することによって、ＮＡＬユニットのスケーラブルグループ化を可能にする構造を含み、前記エクストラクタは、メディアデータを含むトラック以外のトラックからのＮＡＬユニットの抽出を可能にする構造を含み、前記出力ファイルは、オペレーションポイントに含まれる１つまたは複数のレイヤを識別するトラックレイヤ識別子をさらに備える、
を行うように構成される、デバイス。
【請求項１１】
前記サンプルエントリーの名前はファイルタイプであり、前記ファイルタイプは前記出力ファイルに含まれる、および／または
前記出力ファイルはトラックコンテンツ情報（ｔｃｏｎ）ボックスを含まない、および／または
前記出力ファイルは、前記１つまたは複数のトラックの各々のためのレイヤ識別子を含み、レイヤ識別子は、トラックに含まれるレイヤを識別する、および／または
前記出力ファイルはオペレーティングポイント情報（ｏｉｎｆ）ボックスを含み、前記ｏｉｎｆボックスは、前記ビデオデータに含まれる１つまたは複数のオペレーティングポイントのリストを含み、オペレーティングポイントは、１つまたは複数のレイヤに関連付けられ、前記ｏｉｎｆボックスは、前記１つまたは複数のトラックのうちのどれが、前記１つまたは複数のオペレーティングポイントの各々に関連付けられるレイヤを含むかを示す、および／または
前記マルチレイヤビデオデータは１つまたは複数の時間サブレイヤをさらに含み、前記１つまたは複数のトラックからの各トラックは、前記マルチレイヤビデオデータからのたった１つのレイヤまたは１つの時間サブレイヤを含む、および／または
前記マルチレイヤビデオデータは、階層化高効率ビデオコーディング（Ｌ−ＨＥＶＣ）ビデオデータである、
請求項１０に記載のデバイス。
【請求項１２】
前記出力ファイルは、フォーマットを使用して生成され、前記出力ファイルの前記フォーマットは、国際標準化機構（ＩＳＯ）ベースメディアファイルフォーマットを含む、請求項１０に記載のデバイス。
【請求項１３】
ビデオデコーダデバイスによって、マルチレイヤビデオデータに関連付けられる出力ファイルのサンプルエントリーの名前を処理することと、前記マルチレイヤビデオデータは複数のレイヤを含み、各レイヤは、少なくとも１つのビデオコーディングレイヤ（ＶＣＬ）ネットワークアブストラクションレイヤ（ＮＡＬ）ユニットと任意の関連する非ＶＣＬ  ＮＡＬユニットとを含む少なくとも１つのピクチャユニットを備え、前記出力ファイルは複数のトラックを備え、
前記出力ファイルの前記サンプルエントリーの名前に基づいて、前記出力ファイルの前記複数のトラックの各トラックが前記マルチレイヤビデオデータのたった１つのレイヤを備えること、および、前記複数のトラックの各々がアグリゲータおよびエクストラクタを含まないこと、を決定することと、前記アグリゲータは、ＮＡＬユニットの不規則なパターンを、集約されたデータユニットの規則的なパターンへと変更することによって、ＮＡＬユニットのスケーラブルグループ化を可能にする構造を含み、前記エクストラクタは、メディアデータを含むトラック以外のトラックからのＮＡＬユニットの抽出を可能にする構造を含み、前記出力ファイルは、オペレーションポイントに含まれる１つまたは複数のレイヤを識別するトラックレイヤ識別子をさらに備える、
を備える方法。
【請求項１４】
前記サンプルエントリーの名前はファイルタイプであり、前記ファイルタイプは前記出力ファイルに含まれる、および／または
前記出力ファイルはトラックコンテンツ情報（ｔｃｏｎ）ボックスを含まない、および／または
前記出力ファイルは、前記１つまたは複数のトラックの各々のためのレイヤ識別子を含み、レイヤ識別子は、トラックに含まれるレイヤを識別する、および／または
前記出力ファイルはオペレーティングポイント情報（ｏｉｎｆ）ボックスを含み、前記ｏｉｎｆボックスは、前記マルチレイヤビデオデータに含まれる１つまたは複数のオペレーティングポイントのリストを含み、オペレーティングポイントは、１つまたは複数のレイヤに関連付けられ、前記ｏｉｎｆボックスは、前記１つまたは複数のトラックのうちのどれが、前記１つまたは複数のオペレーティングポイントの各々に関連付けられるレイヤを含むかを示す、および／または
前記マルチレイヤビデオデータはレイヤのサブセットをさらに含み、レイヤの前記サブセットは１つまたは複数の時間サブレイヤを含み、前記１つまたは複数のトラックからの各トラックは前記マルチレイヤビデオデータからのせいぜい１つのレイヤまたはレイヤの１つのサブセットを含む、
請求項１３に記載の方法。
【請求項１５】
非一時的機械可読記憶媒体に有形に具現化されたコンピュータプログラム製品であって、１つまたは複数のプロセッサによって実行されたときに、前記１つまたは複数のプロセッサに、請求項１３または１４のいずれか一項に記載の方法を行わせる命令を含むコンピュータプログラム製品。